(57)【要約】【課題】レンズを確実に固定してレンズ間隔を所定の間隔に高精度で維持すること。【解決手段】レンズ固定機構１３０は、第３基準面１０４と、第１スペーサ１２２と、調整用螺子１３１とを備える。第３基準面１０４は、レンズ鏡筒１００の内部の光軸方向と直交する方向に設けられ、レンズの光軸方向への移動を位置決めする。第１スペーサ１２２は、レンズ鏡筒１００の内部の一対のレンズ間に配置され、一対のレンズの間隔に対応した光軸方向に一定の長さを有し、光軸方向に摺動自在である。調整用螺子１３１は、レンズ鏡筒１００に設けられ、スペーサの方向への移動により、スペーサを介して、一対のレンズのうち、位置決め部とスペーサとの間のレンズを光軸方向に沿って位置決め部の方向に押圧する。【選択図】        図１
2007057795.tif 000002
【特許請求の範囲】
【請求項１】
レンズ鏡筒の内部の光軸方向と直交する方向に設けられ、レンズの光軸方向への移動を位置決めするための位置決め部と、
前記レンズ鏡筒の内部の一対のレンズ間に配置され、当該一対のレンズの間隔に対応した前記光軸方向に一定の長さを有し、前記光軸方向に摺動自在なスペーサと、
前記レンズ鏡筒に設けられ、前記スペーサの方向への移動により、前記スペーサを介して、前記一対のレンズのうち、前記位置決め部と前記スペーサとの間のレンズを光軸方向に沿って前記位置決め部の方向に押圧する押圧部材と、
を備えることを特徴とするレンズ固定装置。
【請求項２】
前記押圧部材は、前記スペーサに接する部分に傾斜面を備え、
前記スペーサは、前記押圧部材の前記傾斜面と当接し、前記押圧部材の前記スペーサの方向への移動方向を、当該スペーサの前記光軸方向への移動方向に変換させる傾斜面を備えることを特徴とする請求項１に記載のレンズ固定装置。
【請求項３】
前記押圧部材は、螺合体からなり、前記レンズ鏡筒の外周面から前記レンズ鏡筒の内周面へ貫通するように穿設された螺子孔と螺合されることを特徴とする請求項１または請求項２に記載のレンズ固定装置。
【請求項４】
前記押圧部材は、前記レンズ鏡筒の光軸を中心とした同一の前記光軸方向の円周上に、複数配設されていることを特徴とする請求項１〜請求項３のいずれか一つに記載のレンズ固定装置。
【請求項５】
レンズを固定するためのレンズ固定装置を備え、
前記レンズ固定装置は、
レンズ鏡筒の内部の光軸方向と直交する方向に設けられ、レンズの光軸方向への移動を位置決めするための位置決め部と、
前記レンズ鏡筒の内部の前記一対のレンズ間に配置され、当該一対のレンズの間隔に対応した前記光軸方向に一定の長さを有し、前記光軸方向に摺動自在なスペーサと、
前記レンズ鏡筒から、前記スペーサの方向に移動自在に配設され、当該移動により、前記スペーサを介して、前記一対のレンズのうち、前記位置決め部と前記スペーサとの間のレンズを光軸方向に沿って前記位置決め部の方向に押圧する押圧部材と、
を有して構成されていることを特徴とするレンズ鏡筒。
【請求項６】
前記レンズ固定装置は、前記レンズ鏡筒の前記光軸方向に位置決めが必要なレンズの配設位置にそれぞれ対応して複数配設されていることを特徴とする請求項５に記載のレンズ鏡筒。
【請求項７】
前記位置決め部と前記スペーサとの間の前記レンズは、前記位置決め部に当接するレンズ面が、前記位置決め部に対して面接触するように、前記光軸方向と直交する平面が形成されている前記レンズ面を備えることを特徴とする請求項５または請求項６に記載のレンズ鏡筒。
【請求項８】
前記位置決め部と前記スペーサとの間の前記レンズは、前記位置決め部に当接するレンズ面が、前記位置決め部に対して点接触するように、凸状の曲面が形成されている前記レンズ面を備えることを特徴とする請求項５または請求項６に記載のレンズ鏡筒。
【発明の詳細な説明】
【技術分野】
【０００１】
この発明は、カメラなどの光学機器に備えられるレンズ装置のレンズ鏡筒に関し、特にレンズを光軸方向に固定する際のレンズ固定装置およびこれを用いたレンズ鏡筒に関する。
【背景技術】
【０００２】
従来、カメラなどの光学機器に備えられ、複数のレンズが内側に光軸方向に並べて配置されるレンズ鏡筒では、レンズ鏡筒内に複数のレンズを組み込む際に、スペーサを用いて光軸方向に隣接するレンズ同士の間隔を一定に保持している。そして、レンズ鏡筒と結合されたレンズ押さえ環にて最終レンズ後面を光軸方向から押さえ付けることにより、レンズ鏡筒内に複数のレンズを所定の間隔で保持している。このようなレンズ鏡筒では、レンズ鏡筒の各部材の形状寸法上の公差や、レンズ鏡筒の各部材の組み付けの際に生じる誤差などにより、レンズ鏡筒の各部材の間に隙間などが生じていた。その結果、レンズを確実に保持できなくなり、レンズのガタつきや、レンズの傾きによって光学性能に悪影響を与えることがあった。
【０００３】
これに対し、例えば、レンズ鏡筒内に並べて配置される複数のレンズ同士の間隔がスペーサによって所定の間隔で保持されるレンズ鏡筒において、スペーサにゴムまたはばねなどの弾性部材を用いることで、スペーサをレンズに押し付けたときの反力によって、レンズ鏡筒の各部材の間の隙間を無くし、レンズを保持するレンズ保持構造が開示されている（例えば、下記特許文献１参照。）。
【０００４】
【特許文献１】特開２００３−１５００５号公報
【発明の開示】
【発明が解決しようとする課題】
【０００５】
しかしながら、上記の従来技術では、スペーサにゴムまたはばねなどの弾性部材を用いたことによって、長期使用や使用する環境の温度差によるスペーサの寸法変形、ひび割れ、へたりなどが生じていた。また、レンズ鏡筒に外部からの衝撃や振動などが加わった際に、弾性部材の撓みにより一時的に、レンズ鏡筒の各部材の間に隙間が生じていた。その結果、レンズを確実に固定できなくなることによって、レンズのガタつきやレンズの傾きが生じ、所定のレンズ間隔を保持することができずに、レンズ鏡筒の光学性能を低めるといった問題が生じた。
【０００６】
そのうえ、上記の従来技術では、レンズ鏡筒にレンズおよびスペーサを一度組み付けてしまうと、分解しない限りレンズのガタつきやレンズの傾きなどを修正することができない。そのため、レンズ鏡筒の組み立て後に生じたレンズのガタつきやレンズの傾きなどを、容易に修正することができないといった問題があった。
【０００７】
この発明は、上述した従来技術による問題点を解消するため、レンズ鏡筒の組み立て後においてもレンズ間隔の調整が行え、光学性能を高めることができるレンズ固定装置およびこれを用いたレンズ鏡筒を提供することを目的とする。
【課題を解決するための手段】
【０００８】
上述した課題を解決し、目的を達成するため、この発明にかかるレンズ固定装置は、レンズ鏡筒の内部の光軸方向と直交する方向に設けられ、レンズの光軸方向への移動を位置決めするための位置決め部と、前記レンズ鏡筒の内部の一対のレンズ間に配置され、当該一対のレンズの間隔に対応した前記光軸方向に一定の長さを有し、前記光軸方向に摺動自在なスペーサと、前記レンズ鏡筒に設けられ、前記スペーサの方向への移動により、前記スペーサを介して、前記一対のレンズのうち、前記位置決め部と前記スペーサとの間のレンズを光軸方向に沿って前記位置決め部の方向に押圧する押圧部材と、を備えることを特徴とする。
【０００９】
また、この発明にかかるレンズ固定装置は、上記に記載の発明において、前記押圧部材は、前記スペーサに接する部分に傾斜面を備え、前記スペーサは、前記押圧部材の前記傾斜面と当接し、前記押圧部材の前記スペーサの方向への移動方向を、当該スペーサの前記光軸方向への移動方向に変換させる傾斜面を備えることを特徴とする。
【００１０】
また、この発明にかかるレンズ固定装置は、上記に記載の発明において、前記押圧部材は、螺合体からなり、前記レンズ鏡筒の外周面から前記レンズ鏡筒の内周面へ貫通するように穿設された螺子孔と螺合されることを特徴とする。
【００１１】
また、この発明にかかるレンズ固定装置は、上記に記載の発明において、前記押圧部材は、前記レンズ鏡筒の光軸を中心とした同一の前記光軸方向の円周上に、複数配設されていることを特徴とする。
【００１２】
さらに、この発明にかかるレンズ鏡筒は、レンズを固定するためのレンズ固定装置を備え、前記レンズ固定装置は、レンズ鏡筒の内部の光軸方向と直交する方向に設けられ、レンズの光軸方向への移動を位置決めするための位置決め部と、前記レンズ鏡筒の内部の前記一対のレンズ間に配置され、当該一対のレンズの間隔に対応した前記光軸方向に一定の長さを有し、前記光軸方向に摺動自在なスペーサと、前記レンズ鏡筒から、前記スペーサの方向に移動自在に配設され、当該移動により、前記スペーサを介して、前記一対のレンズのうち、前記位置決め部と前記スペーサとの間のレンズを光軸方向に沿って前記位置決め部の方向に押圧する押圧部材と、を有して構成されていることを特徴とする。
【００１３】
また、この発明にかかるレンズ鏡筒は、上記に記載の発明において、前記レンズ固定装置は、前記レンズ鏡筒の前記光軸方向に位置決めが必要なレンズの配設位置にそれぞれ対応して複数配設されていることを特徴とする。
【００１４】
また、この発明にかかるレンズ鏡筒は、上記に記載の発明において、前記位置決め部と前記スペーサとの間の前記レンズは、前記位置決め部に当接するレンズ面が、前記位置決め部に対して面接触するように、前記光軸方向と直交する平面が形成されている前記レンズ面を備えることを特徴とする。
【００１５】
また、この発明にかかるレンズ鏡筒は、上記に記載の発明において、前記位置決め部と前記スペーサとの間の前記レンズは、前記位置決め部に当接するレンズ面が、前記位置決め部に対して点接触するように、凸状の曲面が形成されている前記レンズ面を備えることを特徴とする。
【発明の効果】
【００１６】
本発明によれば、レンズ鏡筒の組み立て時および組み立て後のいずれにおいても、レンズ鏡筒を分解することなく、調整用螺子の調整によって、レンズを固定することができる。これにより、レンズ間隔を高精度に保持することができ、レンズ鏡筒の光学性能を高めることができるという効果を奏する。
【発明を実施するための最良の形態】
【００１７】
（実施の形態１）
以下に添付図面を参照して、この発明にかかるレンズ固定装置およびこれを用いたレンズ鏡筒の好適な実施の形態を詳細に説明する。まず、実施の形態１について説明する。実施の形態１は、レンズ鏡筒の外周面方向からの調整によって、スペーサを介して、レンズを光軸方向の物体側へ移動させて固定する構成例である。図１は、この発明の実施の形態１にかかるレンズ固定機構を備えたレンズ鏡筒の側断面図である。また、図２は、図１に示すレンズ鏡筒の外観を示す斜視図である。また、図３は、図１に示すレンズ鏡筒の一部拡大断面図である。
【００１８】
図１に示すように、レンズ鏡筒１００は、レンズ鏡筒本体１０１と、レンズ鏡筒本体１０１内部の光軸方向の物体側に配設された前レンズ群１１０と、レンズ鏡筒本体１０１内部の光軸方向の像面側に配設された後レンズ群１２０と、レンズ鏡筒本体１０１に配設されたレンズ固定機構１３０とを備えて構成されている。
【００１９】
レンズ鏡筒本体１０１は、光軸１００Ａを軸とした円筒状に形成されており、外周面１０５と、内周面１０６と、開口部１０７とを備えて構成されている。
【００２０】
内周面１０６は、図１で示すように、レンズ鏡筒本体１０１内部に配設される各レンズや各スペーサなどの外径に応じて段状に形成されている。また、内周面１０６は、第１スペーサ１２２が挿入される部分の内周面１０６Ａと、第４レンズ１２１が挿入される部分の内周面１０６Ｂと、第２スペーサ１２４が挿入される部分の内周面１０６Ｆを備えている。さらに、第１レンズ押さえ環１１１が螺合されるよう螺子溝が形成されている部分の内周面１０６Ｃと、第２レンズ押さえ環１１３が螺合されるよう螺子溝が形成されている部分の内周面１０６Ｄと、第８レンズ押さえ環１２９が螺合されるよう螺子溝が形成されている部分の内周面１０６Ｅとを備えている。
【００２１】
開口部１０７は、光軸方向の物体側の開口部１０７Ｆと、光軸方向の像面側の開口部１０７Ｒとを備えて構成されている。また、開口部１０７は、第１スペーサ１２２が挿入される部分の開口部１０７Ａと、第４レンズ１２１が挿入される部分の開口部１０７Ｂと、第３レンズ１１５と第４レンズ１２１との間の部分の開口部１０７Ｃと、第２スペーサ１２４が挿入される部分の開口部１０７Ｄとを備えている。
【００２２】
また、レンズ鏡筒本体１０１の内部には、第１基準面１０２と、第２基準面１０３と、第３基準面１０４とが形成されている。第１基準面１０２は、光軸方向の物体側の第３レンズ１１５の位置決めを行うために、内周面１０６に突起状に形成された、光軸１００Ａと直交する平面である。第２基準面１０３は、光軸方向の物体側の第１レンズ１１２の位置決めを行うために、内周面１０６の段差によって形成された、光軸１００Ａと直交する平面である。第３基準面１０４は、光軸方向の像面側の第４レンズ１２１の位置決めを行うために、内周面１０６の段差によって形成された、光軸１００Ａと直交する平面である。
【００２３】
前レンズ群１１０は、光軸方向の物体側から順に第１レンズ１１２と、第２レンズ１１４と、第３レンズ１１５とを備えて構成されている。
【００２４】
第３レンズ１１５と第２レンズ１１４は、開口部１０７Ｆから挿入され、レンズ鏡筒本体１０１の内部に形成された第１基準面１０２によって位置決めされる。そして、内周面１０６Ｄの螺子溝と、第２レンズ押さえ環１１３の外周面に形成された螺子溝１１３ａが螺合することによって、第１基準面１０２方向に押さえつけるようにして保持されている。
【００２５】
さらに、第１レンズ１１２が、開口部１０７Ｆから挿入され、レンズ鏡筒本体１０１の内部に形成された第２基準面１０３によって位置決めされる。そして、内周面１０６Ｃの螺子溝と、第１レンズ押さえ環１１１の外周面に形成された螺子溝１１１ａが螺合することによって、第２基準面１０３方向に押さえつけるようにして保持されている。
【００２６】
後レンズ群１２０は、光軸方向の物体側から順に、第４レンズ１２１と、第５レンズ１２３と、第６レンズ１２５と、第７レンズ１２６と、第８レンズ１２８とを備えて構成されている。
【００２７】
また、第４レンズ１２１と、第５レンズ１２３との間は、第１スペーサ１２２によって所定の間隔に保持されている。さらに、第５レンズ１２３と、第６レンズ１２５との間は、第２スペーサ１２４によって所定の間隔に保持されている。さらに、第７レンズ１２６と、第８レンズ１２８との間は、第３スペーサ１２７によって所定の間隔に保持されている。
【００２８】
後レンズ群１２０および上述した各スペーサは、開口部１０７Ｒから、順に、第４レンズ１２１と、第１スペーサ１２２と、第５レンズ１２３と、第２スペーサ１２４と、第６レンズ１２５と、第７レンズ１２６と、第３スペーサ１２７と、第８レンズ１２８とが挿入され、レンズ鏡筒本体１０１の内部に形成された第３基準面１０４によって位置決めされる。そして、内周面１０６Ｅの螺子溝と、第８レンズ押さえ環１２９の外周面に形成された螺子溝１２９ａが螺合することによって、第３基準面１０４方向に押さえつけるようにして保持されている。
【００２９】
後レンズ群１２０のうち、レンズ固定機構１３０によって固定される第４レンズ１２１は、開口部１０７Ｂに挿入されたときに、第４レンズ１２１の外周面１２１Ａが内周面１０６Ｂと当接しつつ、光軸方向に沿って摺動することができる外径を有する。また、第４レンズ１２１は、レンズ面Ｒ１とレンズ面Ｒ２とを備えている。レンズ面Ｒ１は光軸方向の物体側のレンズ面であり、レンズ面Ｒ１の内側には光軸１００Ａを中心とした円形の凹状の曲面部が形成されている。さらに、この曲面部の外周側には、レンズ鏡筒本体１０１の内部に形成されている第３基準面１０４と面接触するための、円環状の平面部１２１ｆが形成されている。レンズ面Ｒ２は光軸方向の像面側のレンズ面であり、凸状の曲面部によって形成されている。
【００３０】
次に、図３に示すように、レンズ固定機構１３０は、押圧部材としての調整用螺子１３１と、螺子孔１３２と、第１スペーサ１２２とを備えて構成されている。
【００３１】
螺子孔１３２は、レンズ鏡筒本体１０１の外周面１０５（図示省略）から光軸１００Ａと直交する方向に向かって内周面１０６Ａへ貫通するように、穿設されている。螺子孔１３２の内周面には調整用螺子１３１の螺子溝１３１ｂと螺合する螺子溝１３２ａが形成されている。
【００３２】
調整用螺子１３１は、螺子孔１３２に螺合されているものであり、レンズ鏡筒本体１０１の外周面１０５方向から調整できるようになっている。調整用螺子１３１の先端部は、傾斜面１３１ａによって形成される円錐形状である。調整用螺子１３１の先端部を除いた外周面には、螺子孔１３２の螺子溝１３２ａと螺合する螺子溝１３１ｂが形成されている。
【００３３】
また、図２に示すように、調整用螺子１３１の後端部には、溝部１３１ｃが形成されており、調整用工具などによって、調整用螺子１３１を回転させ、螺子孔１３２内を進退させることができる。調整用螺子１３１の全長は、螺子孔１３２の長さより短い寸法で形成されていることが好ましい。なお、調整用螺子１３１の材質には、ステンレスやアルミなどの金属材質や、樹脂材質を用いることができる。
【００３４】
第１スペーサ１２２は、円環状に形成されており、第４レンズ１２１と第５レンズ１２３との間を所定の間隔に保持するために、光軸方向に所定の長さＷ１を有している。この、第１スペーサ１２２は、開口部１０７Ａに挿入されたときに、第１スペーサ１２２の外周面１２２Ａが内周面１０６Ａと当接しつつ、光軸方向に沿って摺動することができる外径を有している。なお、第１スペーサ１２２の材質には、ステンレスやアルミなどの金属材質や、樹脂材質を用いることができる。
【００３５】
第１スペーサ１２２の外周面には、作動溝１４０が備えられている。作動溝１４０の光軸方向の物体側には、傾斜面１４１が形成されている。傾斜面１４１は、光軸方向の像面側に向かうにつれ、外径が小さくなるように、光軸方向の像面側を向いて傾斜している。また、傾斜面１４１は、調整用螺子１３１に形成された傾斜面１３１ａの光軸方向の物体側部分が当接する位置に、形成されている。また、傾斜面１４１の傾斜角度は、調整用螺子１３１に備えられた傾斜面１３１ａの傾斜角度と一致させている。また、傾斜面１４１は、所定の長さＫ１を有している。この長さＫ１は、調整用螺子１３１に形成された傾斜面１３１ａの長さよりも、さらに光軸方向の像面側に向けて所定量長い長さを有している。
【００３６】
作動溝１４０の光軸方向の像面側には、空間部１４２が形成されている。空間部１４２は、螺子孔１３２に接する空間部分を基準に、さらに光軸方向の像面側へ向けて形成され、所定の長さＷ２を有している。空間部１４２は、第１スペーサ１２２を光軸方向の物体側へ摺動させたときに調整用螺子１３１と干渉させないために形成されている。
【００３７】
なお、第１スペーサ１２２の内部の光軸方向の前端には、突起部１５０が形成されている。突起部１５０は、第４レンズ１２１のレンズ面Ｒ２と当接することによって、第４レンズ１２１を第３基準面１０４方向へ押圧する。また、突起部１５０は、正面からみて円形状であり、第４レンズ１２１の有効径（光が通過するために必要な口径）を規定する。さらに、第１スペーサ１２２の内部の光軸方向の像面側には、鋸歯状のフレア防止用溝１６０が備えられている。フレア防止用溝１６０は第１スペーサ１２２内部での、光学性能へ悪影響を及ぼす内面反射（フレア）の発生を防ぐために形成されている。
【００３８】
次に、上述した構成によるレンズ固定機構１３０の動作について、図３を用いて説明する。はじめに、調整用螺子１３１に形成された溝部１３１ｃに調整用工具を嵌合させ、調整用螺子１３１を回転させることによって、調整用螺子１３１は内周面１０６方向（方向Ａ）へ向かって進行する。これにより、調整用螺子１３１に形成された傾斜面１３１ａは第１スペーサ１２２に備えられた傾斜面１４１へ当接し、さらに調整用螺子１３１を進行させることで、傾斜面１３１ａによって傾斜面１４１が押圧される。そして、第１スペーサ１２２は、傾斜面１４１が押圧されることによって光軸方向の物体側方向（方向Ｂ）への移動力が生じ、光軸方向に沿って物体側へ摺動する。第１スペーサ１２２に形成された突起部１５０は、第４レンズ１２１に当接し、第４レンズ１２１を光軸方向の物体側へ摺動させる。
【００３９】
このように、調整用螺子１３１の調整により、第４レンズ１２１のレンズ面Ｒ１の平面部１２１ｆが、第３基準面１０４と面接触するまで、第４レンズ１２１を光軸方向の物体側に摺動させることができる。これにより、第３基準面１０４と、第４レンズ１２１との間に生じていた隙間１７０を無くすことができる。さらに、調整用螺子１３１を適度に進行させることで、第４レンズ１２１は、第１スペーサ１２２を介して、平面部１２１ｆが第３基準面１０４に面接触して押さえつけられ、確実に固定することができる。
【００４０】
レンズ鏡筒１００においては、第４レンズ１２１のレンズ面Ｒ１と第３レンズ１１５のレンズ面Ｒ２との間隔Ｄ１は、光線が集中する場所であり、この間隔Ｄ１の僅かな誤差によってレンズ鏡筒１００の光学性能に悪影響を及ぼすため、特にレンズ間隔を高精度に保持する必要がある。そのため、レンズ鏡筒１００では、レンズ固定機構１３０によって、第４レンズ１２１を第３基準面１０４に対して確実に固定することで、Ｄ１を所定の間隔に高精度に保持することができるようになっている。
【００４１】
さらに、調整用螺子１３１によって、レンズ鏡筒１００の外周面１０５方向から、第４レンズ１２１に対する押圧力の調整が可能であるため、レンズ鏡筒１００の組み立て後であっても、レンズ鏡筒１００を分解することなく、調整用螺子１３１の調整によって、第４レンズ１２１を適度な押圧力により固定し、間隔Ｄ１を所定の間隔に高精度に保持することができる。その結果、収差や、像面に対しての結像位置のずれなどが生じることなく、レンズ鏡筒１００の光学性能を高めることができる。
【００４２】
図４は、この発明の実施の形態１にかかるレンズ固定機構を示す正断面図である。図４に示す例のレンズ鏡筒１００では、レンズ固定機構１３０の構成要素である調整用螺子１３１と、螺子孔１３２が、レンズ鏡筒本体１０１に、光軸１００Ａを中心として円周方向に１２０°の間隔をおいて３箇所に配設されている。
【００４３】
このような構成によれば、複数の調整用螺子１３１を均等に締めこむことによって、第１スペーサ１２２を介して、第４レンズ１２１を複数箇所から均等に光軸方向の物体側に摺動させ、第３基準面１０４に押圧することができる。その結果、第４レンズ１２１を、一定の方向に傾けることなく確実に固定することができる。なお、レンズ固定機構１３０の構成要素である調整用螺子１３１と螺子孔１３２を、レンズ鏡筒本体１０１の光軸１００Ａを中心とした円周方向に少なくとも２箇所以上に配設することが好ましい。
【００４４】
以上説明したように、この実施の形態１によれば、レンズ鏡筒１００の外周面１０５方向から調整用螺子１３１を締めこむことによって、第１スペーサ１２２を介して、第４レンズ１２１を第３基準面１０４に対して固定する構成としている。そのため、レンズ鏡筒１００の組み立て後であっても、レンズ鏡筒１００を分解することなく、調整用螺子１３１の調整によって、第４レンズ１２１を適度な押圧力により確実に固定することができる。そして、第４レンズ１２１と第３レンズ１１５との間を所定の間隔に高精度に保持することによって、レンズ鏡筒１００の光学性能を高めることができる。
【００４５】
なお、調整用螺子１３１の先端部は、傾斜面１４１を押圧することができる形状であれば、例えば、傾斜面１３１ａの傾斜角度が傾斜面１４１の傾斜角度と一致していないものや、半球形状のものを用いることもできる。さらに、調整用螺子１３１の先端部に、回転自在な別体の傾斜面を備えた構成のものを用いることもできる。この場合も、先端部は円錐形状に限らず、傾斜面１４１と押圧する傾斜面を備えているものであればよく、例えば、四角錘形状のものを用いることもできる。
【００４６】
（実施の形態２）
次に、実施の形態２について説明する。実施の形態２は、レンズ鏡筒の光軸方向にレンズ固定機構を複数配設する構成例である。図５は、この発明の実施の形態２にかかるレンズ固定機構を備えたレンズ鏡筒の側断面図である。
【００４７】
図５に示すように、レンズ鏡筒５００は、上述したレンズ鏡筒１００（図１参照）と同様の構成に加え、第５レンズ１２３を固定するために、上述したレンズ固定機構１３０（図１参照）と同様の構成からなるレンズ固定機構５３０を配設した構成例である。その他の構成は上述したレンズ鏡筒１００と同様であるため、ここでは説明を省略する。
【００４８】
レンズ固定機構５３０は、押圧部材としての調整用螺子５３１と、螺子孔５３２と、第２スペーサ５２４とを備えて構成されている。
【００４９】
螺子孔５３２は、レンズ鏡筒本体５０１の外周面１０５から光軸１００Ａと直交する方向に向かって内周面１０６Ｆへ貫通するように、穿設されている。
【００５０】
調整用螺子５３１は、螺子孔５３２に螺合されているものであり、レンズ鏡筒本体５０１の外周面１０５方向から調整できるようになっている。調整用螺子５３１の先端部は、円錐形状である。
【００５１】
第２スペーサ５２４は、円環状に形成されており、第５レンズ１２３と第６レンズ１２５の間を所定の間隔に保持するために、光軸方向に所定の長さを有している。この、第２スペーサ５２４は、開口部１０７Ｄに挿入されたときに、第２スペーサ５２４の外周面５２４Ａが内周面１０６Ｆと当接しつつ、光軸方向に沿って摺動することができる外径を有している。
【００５２】
第２スペーサ５２４の外周面には、実施の形態１で上述した作動溝１４０（図３参照）と同様に、傾斜面５４１と空間部５４２とが形成されている作動溝５４０が備えられている。
【００５３】
次に、上述した構成によるレンズ鏡筒５００の動作について、図５を用いて説明する。はじめに、レンズ固定機構１３０に備えられている調整用螺子１３１の調整により、第４レンズ１２１が、第３基準面１０４と当接するまで、第４レンズ１２１を光軸方向の物体側に摺動させる。さらに、調整用螺子１３１を適度に進行させることで、第４レンズ１２１は、第１スペーサ１２２を介して、第３基準面１０４に対して、適度に押さえつけられ、固定することができる。
【００５４】
次に、レンズ固定機構５３０に備えられている調整用螺子５３１の調整により、第５レンズ１２３が、第４レンズ１２１を押さえつけている第１スペーサ１２２に当接するまで、第５レンズ１２３を光軸方向の物体側へ摺動させる。さらに、調整用螺子５３１を適度に進行させることで、第５レンズ１２３は、第２スペーサ５２４を介して、第１スペーサ１２２に対して、押さえつけられ、確実に固定することができる。
【００５５】
以上説明したように、この実施の形態２によれば、第４レンズ１２１と第５レンズ１２３を確実に固定することによって、第３レンズ１１５と第４レンズ１２１との間隔Ｄ１に加えて、第４レンズ１２１と第５レンズ１２３との間隔Ｄ２についても、所定の間隔に高精度で保持することができる。これにより、レンズ鏡筒５００の光学性能をより高めることができる。
【００５６】
なお、レンズ鏡筒５００の構成に加え、第６レンズ１２５と第７レンズ１２６に対しても、スペーサと、螺子孔と、調整用螺子とを備えたレンズ固定機構を用いてレンズを固定することができる。この場合、さらに、第５レンズ１２３と第６レンズ１２５との間隔についても、所定の間隔に高精度で保持することができ、レンズ鏡筒５００の光学性能をより高めることができる。
【００５７】
（実施の形態３）
次に、実施の形態３について説明する。実施の形態３は、レンズ鏡筒の外周面方向からの調整によって、レンズを光軸方向の像面側へ移動させることによって、レンズを固定する構成例である。図６は、この発明の実施の形態３にかかるレンズ固定機構を備えたレンズ鏡筒の側断面図である。
【００５８】
上述したレンズ鏡筒１００（図１参照）においては、レンズ固定機構１３０によって後レンズ群１２０の第４レンズ１２１を固定する構成とした。これに対し、図６に示すように、レンズ鏡筒６００は、レンズ固定機構１３０と同様の構成からなるレンズ固定機構６３０によって前レンズ群６１０の第３レンズ６１５を固定する構成へと変更している。
【００５９】
レンズ鏡筒６００は、レンズ鏡筒本体６０１と、レンズ鏡筒本体６０１内部の光軸方向の物体側に配設された前レンズ群６１０と、レンズ鏡筒本体６０１内部の光軸方向の像面側に配設された後レンズ群６２０と、レンズ鏡筒本体６０１に配設されたレンズ固定機構６３０とを備えて構成されている。
【００６０】
レンズ鏡筒本体６０１は、光軸６００Ａを軸とした円筒状に形成されており、外周面６０５と、内周面６０６と、開口部６０７とを備えて構成されている。
【００６１】
内周面６０６は、第１スペーサ６１４が挿入される部分の内周面６０６Ａと、第３レンズ６１５が挿入される部分の内周面６０６Ｂとを備えている。
【００６２】
開口部６０７は、光軸方向の物体側の開口部６０７Ｆと、光軸方向の像面側の開口部６０７Ｒと、第１スペーサ６１４が挿入される部分の開口部６０７Ａと、第３レンズ６１５が挿入される部分の開口部６０７Ｂとを備えている。
【００６３】
また、レンズ鏡筒本体６０１の内部には、第３レンズ６１５を位置決めするための第１基準面６０２と、第４レンズ６２１を位置決めするための第２基準面６０３とが形成されている。
【００６４】
前レンズ群６１０は、光軸方向の物体側から順に第１レンズ６１２と、第２レンズ６１３と、第３レンズ６１５とを備えて構成されている。また、第２レンズ６１３と、第３レンズ６１５との間は、第１スペーサ６１４によって所定の間隔に保持されている。そして、第１レンズ押さえ環６１１によって、第１基準面６０２方向に押さえつけるようにして保持されている。
【００６５】
前レンズ群６１０のうち、レンズ固定機構６３０によって固定される第３レンズ６１５は、開口部６０７Ｂに挿入されたときに、第３レンズ６１５の外周面６１５Ａが内周面６０６Ｂと当接しつつ、光軸方向に沿って摺動することができる外径を有する。また、第３レンズ６１５は、レンズ面Ｒ１とレンズ面Ｒ２とを備えている。レンズ面Ｒ１は光軸方向の物体側のレンズ面であり、凸状の曲面部によって形成されている。レンズ面Ｒ２は光軸方向の像面側のレンズ面であり、レンズ面Ｒ２の内側には光軸６００Ａを中心とした円形の凹状の曲面部が形成されている。さらに、この曲面部の外周側には円環状の平面部６１５ｒが形成されている。
【００６６】
後レンズ群６２０は、光軸方向の物体側から順に、第４レンズ６２１と、第５レンズ６２３と、第６レンズ６２４と、第７レンズ６２６とを備えて構成されている。また、第４レンズ６２１と、第５レンズ６２３との間は、第２スペーサ６２２によって所定の間隔に保持されている。さらに、第６レンズ６２４と、第７レンズ６２６との間は、第３スペーサ６２５によって所定の間隔に保持されている。そして、第７レンズ押さえ環６２７によって、第２基準面６０３方向に押さえつけるようにして保持されている。
【００６７】
レンズ固定機構６３０は、押圧部材である調整用螺子６３１と、螺子孔６３２と、第１スペーサ６１４とを備えて構成されている。
【００６８】
螺子孔６３２は、レンズ鏡筒本体６０１の外周面６０５から光軸６００Ａと直交する方向に向かって内周面６０６Ａへ貫通するように、穿設されている。
【００６９】
調整用螺子６３１は、螺子孔６３２に螺合されているものであり、レンズ鏡筒本体６０１の外周面６０５方向から調整できるようになっている。調整用螺子６３１の先端部は、円錐形状である。
【００７０】
第１スペーサ６１４は、円環状に形成されており、第２レンズ６１３と第３レンズ６１５との間を所定の間隔に保持するために、光軸方向に所定の長さを有している。この、第１スペーサ６１４は、開口部６０７Ａに挿入されたときに、第１スペーサ６１４の外周面６１４Ａが内周面６０６Ａと当接しつつ、光軸方向に沿って摺動することができる外径を有している。
【００７１】
第１スペーサ６１４の外周面には、実施の形態１で上述した作動溝１４０（図３参照）と同様に、傾斜面６４１と空間部６４２とによって構成される作動溝６４０が備えられている。上述した作動溝１４０に対して、作動溝６４０は、作動溝６４０の光軸方向の像面側に傾斜面６４１が形成されており、作動溝６４０の光軸方向の物体側に空間部６４２が形成されている点が異なる。
【００７２】
なお、第１スペーサ６１４の内部の光軸方向の前端には、突起部６５０が形成されている。突起部６５０は、第３レンズ６１５のレンズ面Ｒ１と当接することによって、第３レンズ６１５を第１基準面６０２方向へ押圧する。また、突起部６５０は、正面からみて円形状であり、第３レンズ６１５の有効径を規定する。さらに、第１スペーサ６１４の内部の光軸方向の物体側には、鋸歯状のフレア防止用溝６６０が備えられている。フレア防止用溝６６０は第１スペーサ６１４内部での、光学性能へ悪影響を及ぼす内面反射（フレア）の発生を防ぐために形成されている。
【００７３】
次に、上述した構成によるレンズ固定機構６３０の動作について、図６を用いて説明する。はじめに、調整用工具などを用いて調整用螺子６３１を回転させることによって、調整用螺子６３１は内周面６０６方向（方向Ａ）へ向かって進行する。これにより、調整用螺子６３１に形成された傾斜面が第１スペーサ６１４に備えられた傾斜面６４１へ当接し、さらに調整用螺子６３１を進行させることで、調整用螺子６３１に形成された傾斜面によって傾斜面６４１が押圧される。そして、第１スペーサ６１４は、傾斜面６４１が押圧されることによって光軸方向の像面側方向（方向Ｂ）への移動力が生じ、光軸方向に沿って像面側へ摺動する。第１スペーサ６１４に形成された突起部６５０は、第３レンズ６１５に当接し、第３レンズ６１５を光軸方向の像面側へ摺動させる。
【００７４】
このように、調整用螺子６３１の調整により、第３レンズ６１５のレンズ面Ｒ２の平面部６１５ｒが、第１基準面６０２と当接するまで、第３レンズ６１５を光軸方向の像面側に摺動させることができる。これにより、第１基準面６０２と、第３レンズ６１５との間に生じていた隙間を無くすことができる。さらに、調整用螺子６３１を適度に進行させることで、第３レンズ６１５は、第１スペーサ６１４を介して、第１基準面６０２に対して、適度に押さえつけられ、確実に固定することができる。
【００７５】
レンズ鏡筒６００においては、上述したレンズ鏡筒１００（図１参照）と同様に、第４レンズ６２１のレンズ面Ｒ１と第３レンズ６１５のレンズ面Ｒ２との間隔Ｄ１は、光線が集中する場所であり、この間隔Ｄ１の僅かな誤差によってレンズ鏡筒６００の光学性能に悪影響を及ぼすため、特にレンズ間隔を高精度に保持する必要がある。上述したレンズ鏡筒１００においては、レンズ固定機構１３０によって、第４レンズ１２１を第３基準面１０４に対して確実に固定する構成とした。これに対し、レンズ鏡筒６００は、レンズ固定機構６３０によって、第３レンズ６１５を第１基準面６０２に対して確実に固定することで、Ｄ１を所定の間隔に高精度に保持することができるようになっている。
【００７６】
以上説明したように、この実施の形態３によれば、レンズ鏡筒６００の外周面６０５方向から調整用螺子６３１を締めこむことによって、第１スペーサ６１４を介して、第３レンズ６１５を第１基準面６０２に対して固定する構成としている。そのため、レンズ鏡筒６００の組み立て後であっても、レンズ鏡筒６００を分解することなく、調整用螺子６３１の調整によって、第３レンズ６１５を適度な押圧力により確実に固定することができる。そして、第４レンズ６２１と第３レンズ６１５との間を所定の間隔に高精度に保持することによって、レンズ鏡筒６００の光学性能を高めることができる。
【００７７】
（実施の形態４）
次に、実施の形態４について説明する。実施の形態４は、レンズ鏡筒の外周面方向からの調整によって、レンズの傾きを調整する構成例である。図７は、この発明の実施の形態４にかかるレンズ固定機構を備えたレンズ鏡筒の側断面図である。また、図８は、図７に示すレンズ鏡筒の一部拡大断面図である。
【００７８】
図７に示すように、レンズ鏡筒７００およびレンズ鏡筒本体７０１は、上述したレンズ鏡筒１００およびレンズ鏡筒本体１０１（図１参照）と同様の構成に加え、レンズ固定機構１３０に対して光軸１００Ａの対角線上に、上述したレンズ固定機構１３０（図１参照）と同様の構成からなるレンズ固定機構７３０を配設している。
【００７９】
そして、凹状のレンズ面Ｒ１を備える第４レンズ１２１を、凸状のレンズ面Ｒ１を備える第４レンズ７２１へと変更している。図８の断面図では、第４レンズ７２１のレンズ面Ｒ１は、第３基準面１０４の内端１０４Ｕ，１０４Ｄがそれぞれ点接触しているが、実際には、第３基準面１０４は円形状に開口しているため、第４レンズ７２１のレンズ面Ｒ１は、第３基準面１０４に対して円形状に線接触している。その他の構成は上述したレンズ鏡筒１００と同様であるため、ここでは説明を省略する。
【００８０】
次に、上述した構成によるレンズ鏡筒７００の動作について、図８を用いて説明する。図８に示すように、第４レンズ７２１の軸７２１Ａが光軸１００Ａに対して、下方側に傾いているとする。この場合は、はじめに、調整用工具などを用いて調整用螺子１３１を回転させることによって、調整用螺子１３１は外周面１０５方向（方向Ａ）へ向かって進行する。これにより、調整用螺子１３１の傾斜面１３１ａと、作動溝１４０に備えられた傾斜面１４１との間に、第１スペーサ１２２の上部が光軸方向の像面側に摺動するために十分な間隔を空ける。
【００８１】
次に、調整用工具などを用いて調整用螺子７３１を回転させることによって、調整用螺子７３１は内周面１０６方向（方向Ｂ）へ向かって進行する。これにより、調整用螺子７３１に形成された傾斜面が第１スペーサ１２２の下部の傾斜面１４１へ当接し、さらに調整用螺子７３１を進行させることで、調整用螺子７３１に形成された傾斜面によって第１スペーサ１２２の下部の傾斜面１４１が押圧される。第１スペーサ１２２の下部は、第１スペーサ１２２の下部の傾斜面１４１が押圧されることによって光軸方向の物体側方向（方向Ｃ）への移動力が生じ、光軸方向に沿って物体側へ摺動する。これにより、第１スペーサ１２２に形成された突起部１５０は、第４レンズ７２１の下部を光軸方向の物体側へ押圧し、第４レンズ７２１の下部を光軸方向の物体側（方向Ｄ）へ摺動させる。
【００８２】
このとき、第４レンズ７２１には、第３基準面１０４の下部の内端１０４Ｄを回転軸とした光軸方向の像面側への回転力が生じ、当該回転力により、第４レンズ７２１の上部は光軸方向の像面側（方向Ｅ）へ摺動する。これにより、第４レンズ７２１の上部は、第１スペーサ１２２に形成された突起部１５０の上部を押圧し、第１スペーサ１２２の上部を光軸方向の像面側（方向Ｇ）へ摺動させる。これにより、第４レンズ７２１の軸７２１Ａの傾きは、光軸１００Ａの方向（方向Ｆ）に向かって修正される。
【００８３】
このように、調整用螺子１３１および調整用螺子７３１の調整により、第４レンズ７２１の光軸１００Ａに対する下方向の傾きを、修正することができる。
【００８４】
また、第４レンズ７２１の軸７２１Ａが光軸１００Ａに対して、上方側に傾いている場合は、調整用螺子７３１を緩めて、調整用螺子１３１を締めこむことによって、第４レンズ７２１の光軸１００Ａに対する上方向の傾きを、修正することができる。
【００８５】
以上説明したように、この実施の形態４によれば、レンズ鏡筒本体７０１の外周面１０５方向から調整用螺子１３１および調整用螺子７３１を調整することによって、第１スペーサ１２２を介して、第４レンズ７２１の傾きを調整する構成としている。そのため、レンズ鏡筒７００の組み立て後であっても、レンズ鏡筒７００を分解することなく、調整用螺子１３１および調整用螺子７３１の調整によって、第４レンズ７２１の光軸１００Ａに対する上下方向の傾きを容易に修正することができる。
【００８６】
なお、レンズ鏡筒７００の構成に加え、上述したレンズ固定機構１３０（図１参照）と同様の構成からなるレンズ固定機構を、レンズ鏡筒本体７０１の光軸１００Ａを中心とした左右方向にそれぞれ配設することによって、第４レンズ７２１の光軸１００Ａに対する左右方向の傾きについても、調整用螺子の調整によって、容易に修正することができる。このように、上述したレンズ固定機構１３０（図１参照）と同様の構成からなるレンズ固定機構を、レンズ鏡筒本体７０１の光軸１００Ａを中心とした傾きを調整したい方向に配設することで、その方向に対するレンズの傾きを、調整用螺子の調整によって、容易に修正することができる。
【産業上の利用可能性】
【００８７】
以上のように、本発明にかかるレンズ固定装置およびこれを用いたレンズ鏡筒は、カメラなどの光学機器に備えられるレンズ装置に有用であり、特に、高い光学性能が要求される工業用のレンズ装置などに適している。
【図面の簡単な説明】
【００８８】
【図１】この発明の実施の形態１にかかるレンズ固定機構を備えたレンズ鏡筒の側断面図である。
【図２】図１に示すレンズ鏡筒の外観を示す斜視図である。
【図３】図１に示すレンズ鏡筒の一部拡大断面図である。
【図４】この発明の実施の形態１にかかるレンズ固定機構を示す正断面図である。
【図５】この発明の実施の形態２にかかるレンズ固定機構を備えたレンズ鏡筒の側断面図である。
【図６】この発明の実施の形態３にかかるレンズ固定機構を備えたレンズ鏡筒の側断面図である。
【図７】この発明の実施の形態４にかかるレンズ固定機構を備えたレンズ鏡筒の側断面図である。
【図８】図７に示すレンズ鏡筒の一部拡大断面図である。
【符号の説明】
【００８９】
１００  レンズ鏡筒
１０１  レンズ鏡筒本体
１０４  第３基準面
１０５  外周面
１０６  内周面
１２１  第４レンズ
１２２  第１スペーサ
１３０  レンズ固定機構
１３１  調整用螺子
１３２  螺子孔
【図１】
2007057795.tif 000003
【図２】
2007057795.tif 000004
【図３】
2007057795.tif 000005
【図４】
2007057795.tif 000006
【図５】
2007057795.tif 000007
【図６】
2007057795.tif 000008
【図７】
2007057795.tif 000009
【図８】
2007057795.tif 000010